(57)【要約】【課題】  短毛及び長毛を予め設定した所定の毛髪量でかつらベースに植設でき、且つ、短毛及び長毛をそれぞれ予め設定した所定の割合に制御して植設でき、植設した毛髪の立上りによりボリューム感を呈し得るかつら及びその製造方法を提供する。【解決手段】  短毛３と長毛４とを予め設定した所定の毛髪量でかつらベース２に植設すると共に、短毛３と長毛４とを、それぞれ予め設定した所定の割合に制御して植設する。かつらベース２に対して、短毛となる長い毛髪を植設してこれを所定長さの短毛３にカットし、その後、短毛３の間に長毛４を植設する。【選択図】  図１
2006183214.tif 000002
【特許請求の範囲】
【請求項１】
かつらベースと、
該かつらベースに植設される人毛又は人工毛髪からなる毛髪と、を備えるかつらであって、
上記毛髪が、短毛と長毛とからなり、
上記短毛及び長毛が、予め設定した所定の毛髪量でかつらベースに植設されると共に、該短毛及び長毛が、それぞれ、予め設定した所定の割合に制御されて植設されていることを特徴とする、かつら。
【請求項２】
かつらベースと、
該かつらベースに植設される人毛又は人工毛髪からなる毛髪と、を備えるかつらであって、
上記毛髪が、異なるカール径を有する短毛と長毛とからなり、
上記短毛が、上記かつらベースに植設される毛髪量の２０〜５０％の割合に制御されて植設されていることを特徴とする、かつら。
【請求項３】
前記短毛の長さが、一定ではなく、毛髪長分布を有することを特徴とする、請求項１又は２に記載のかつら。
【請求項４】
前記短毛の各々の長さが、前記長毛の二分の一以下で、且つ、１〜５ｃｍの範囲で不均一に植設されていることを特徴とする、請求項１〜３の何れかに記載のかつら。
【請求項５】
前記短毛が前記長毛より小さなカール径を有することを特徴とする、請求項１〜３の何れかに記載のかつら。
【請求項６】
前記短毛及び長毛が、互いに異なる色であることを特徴とする、請求項１〜５の何れかに記載のかつら。
【請求項７】
前記短毛及び長毛が、互いに異なる太さであることを特徴とする、請求項１〜６の何れかに記載のかつら。
【請求項８】
前記かつらベースが、軟質合成樹脂からなる人工皮膚で構成されていることを特徴とする、請求項１又は２に記載のかつら。
【請求項９】
前記かつらベースが、全体または少なくとも一部がネット部材で構成されていることを特徴とする、請求項１又は２に記載のかつら。
【請求項１０】
かつらベースに対して、毛髪を植設する第１の段階と、
上記第１の段階で植設された各毛髪を所定長さの短毛にカットする第２の段階と、
その後、上記かつらベースに対して、上記短毛の間に長毛を植設する第３の段階と、
を含んでいることを特徴とする、かつらの製造方法。
【請求項１１】
前記第１の段階にて、規定密度の所定割合に制御して短毛となる毛髪を植設することを特徴とする、請求項１０に記載のかつらの製造方法。
【請求項１２】
かつらベースに植設する短毛と長毛との混合割合を設定すると共に、所定の割合に設定した短毛となるべき毛髪をかつらベースに植設する第１の段階と、
上記第１の段階で植設された各毛髪を所定長さの短毛にカットする第２の段階と、
上記所定の割合に設定した長毛となるべき毛髪を上記かつらベースの上記短毛の間に植設する第３の段階と、
を含んでいることを特徴とする、かつらの製造方法。
【請求項１３】
前記かつらベースに植設する短毛と長毛との混合割合を設定するに先立ち、前記かつらベースに植設する短毛及び長毛の総毛髪密度を、予め設定する段階を含むことを特徴とする、請求項１２に記載のかつらの製造方法。
【請求項１４】
前記短毛の割合が、前記かつらベースに植設される毛髪量の２０〜５０％に制御して植設されることを特徴とする、請求項１１又は１２に記載のかつらの製造方法。
【請求項１５】
前記第２の段階にて、各毛髪に不均一な毛髪長分布をつけるカットを行うことを特徴とする、請求項１０乃至１２の何れかに記載のかつらの製造方法。
【請求項１６】
前記第２の段階にて、前記短毛の各々の長さを、前記長毛の二分の一以下で、且つ、１〜５ｃｍの範囲で不均一にすることを特徴とする、請求項１０〜１５の何れかに記載のかつらの製造方法。
【請求項１７】
前記第３の段階にて、既に植設されている短毛と併せて、規定密度の所定割合となるように制御して、前記長毛を植設することを特徴とする、請求項１０に記載のかつらの製造方法。
【請求項１８】
前記長毛が直毛又はカール毛であり、前記短毛が前記長毛より小さなカール径を有することを特徴とする、請求項１０〜１７の何れかに記載のかつらの製造方法。
【請求項１９】
前記短毛及び長毛が、互いに異なる色であることを特徴とする、請求項１０〜１８の何れかに記載のかつらの製造。
【請求項２０】
前記短毛及び長毛が、互いに異なる太さであることを特徴とする、請求項１０〜１９の何れかに記載のかつらの製造。
【請求項２１】
前記かつらベースを、軟質合成樹脂からなる人工皮膚で構成することを特徴とする、請求項１０又は１２に記載のかつらの製造方法。
【請求項２２】
前記かつらベースを、全体または少なくとも一部がネット部材で構成することを特徴とする、請求項１０又は１２に記載のかつらの製造方法。
【発明の詳細な説明】
【技術分野】
【０００１】
本発明は、かつらベースへの毛髪の少ない植設量で十分なボリューム感を呈すことができると共に、毛髪量を予め定めた所定の密度で正確に制御してかつらベースに植設でき、しかも長毛と短毛とを所定の割合に制御して万遍なく混合させ得るようにしたかつらと、その製造方法に関するものである。
【背景技術】
【０００２】
かつらに植設する毛髪の長さを変えて、自然な外観を得るようにしたかつらは、従来より知られている。このようなかつら２０は、例えば図８に示すように、ネット状のフィラメント２４と、長い毛髪３０ａと、短い毛髪３０ｂと、これらの中間の長さの毛髪３０ｃと、から構成されている。これらの毛髪は、ネット状のフィラメント２４に結着されて、結び目２６が形成されている。図８に示すかつら２０の場合には、毛髪の長さ、その太さ、その色を不同として、自然な毛髪外観を得るようにしている（特許文献１参照）。
【０００３】
また、自然な毛髪外観を得るために、特許文献２には、長毛と短毛を交互に並べた毛髪を用いたかつらが開示されている。
【０００４】
【特許文献１】特開昭６３−１９６７０５号公報（図１）
【特許文献２】実公昭５４−１４１５４号公報
【発明の開示】
【発明が解決しようとする課題】
【０００５】
従来のかつらにおいて、１本又は２，３本の毛髪をまとめて中央で折り返し、これをネットベースに結び目を設けて植設すると、結着した基端部から上方へ延びる一対の毛髪が比較的大きな角度で左右に拡がってしまい、左右に分かれた毛髪は上方に立ち上がること無くネットベースに倒伏してその表面に沿って延び、特に毛髪の先端部寄りではほぼ実質的にネットベースの表面に寝て延びるようになってしまうことから、毛髪の立上りによるボリューム感を得ることが困難であると共に、植設量が少ないとかつらベースが露見してしまうという課題がある。
【０００６】
さらに、上記特許文献１及び２のような短毛を備えたかつらにおいては、短毛の長さを１乃至３ｃｍと極めて短くするためには、二つ折りにしてネットベースに植設する場合は２乃至６ｃｍの人毛または人工毛を使用して、これを上記１〜３ｃｍに二つ折りにして植設を行なう必要がある。
従って、植設すべき人毛または人工毛の全長が短いことから、特にカール毛や縮毛の場合に、植設作業が非常にやりにくくなってしまい、作業時間が長くなると共に、生産性が低下してしまうという課題がある。とくに、毛髪長が５ｃｍより短くなるとどんなに熟練した者であってもかつらベースへの植設作業は不可能である。
【０００７】
これに対して、全体に長い毛髪を植設した後、すき鋏を使用して毛髪を部分的にカットして短毛とすることにより、長い毛髪の立上りを改善する方法も行われているが、すき鋏による方法では、カットする領域が比較的大きくなってしまい、短毛部分が特定領域に多く集まったりして、全体として短毛がまだらに配置されることになり、かつらの見栄えが低下してしまうという課題がある。よってこのような従来の方法では、短毛の長毛に対する植設割合を正確に規定することなどは不可能である。
【０００８】
また、かつらを作製する場合、かつらの部位により植設する毛量（植設密度）を変化させる場合がある。例えば天頂部領域は１００％の毛量で植設し、その周りを８０％や７０％の毛量に設定することで自然感を出そうとしたり、使用者の残毛と調和させるために特定部分を５０％の毛量としたり、或いは顧客の指示により毛量を調整するなど、好みの又は症状に沿って規定した密度で植設していかなければならない。いま、規定密度が例えば７０％の植設密度に設定されている場合、最初から７０％の密度で植設しようとすると、部分的に粗密が形成されてまだらになり、また短毛形成のためにすき鋏を入れたりすると所定の密度以下になったりまだらが顕著になったりして見栄えが低下してしまう。そこでまず、毛植え技術者はかつらベースに９０〜１００％で毛植えした後で、すき鋏を使用して短毛を形成することにより立ち上がりをよくし、最終的に全体を７０％程度の密度に調整していくことになるが、上述のように極めて難しい作業を要する。
【０００９】
本発明の一目的は、上記課題に鑑み、かつらベースに植設する毛髪量を、かつら製作時等に予め定めた規定の密度に従って正確に植設できると共に、この規定された密度において、長毛と短毛との毛髪量の割合を、予め定めた所定の割合に制御して、且つ、該長毛と短毛とが良く調和して万遍なく混じり合うように制御してかつらベースに植設することができるようにし、これによって、毛髪の立上りによる所望のボリューム感を呈することができるかつらを提供することにある。
さらに、本発明の他の目的は、各毛髪の間に植設する短毛の植設作業が容易に行なわれるようにしたかつらの製造方法を提供することにある。
【課題を解決するための手段】
【００１０】
本発明の上記一目的を達成するため、本発明の一態様に係るかつらは、かつらベースとかつらベースに植設される人毛又は人工毛髪からなる毛髪とを備え、毛髪が短毛と長毛とからなり、短毛及び長毛が、予め設定した所定の毛髪量でかつらベースに植設されると共に、該短毛及び長毛が、それぞれ、予め設定した所定の割合に制御されて植設されていることを特徴とする。
また、他の態様では、毛髪が、異なるカール径を有する短毛と長毛とからなり、この短毛が、かつらベースに植設される毛髪量の２０〜５０％の割合に制御されて植設されていることを特徴とする。
上記構成によれば、かつらベースに対してその部位毎に、短毛及び長毛との総毛髪量が予め定めた所定の毛髪量（本数）で植設されることができるので、症状に合わせた、或いは、かつらベースの部位毎に異なる毛量で植設した極めて自然感に富むかつらが提供される。また、短毛と長毛とが、それぞれ、予め設定した所定の割合に制御されて植設されるので、部位毎に異なる毛量感が出現できると共に、毛髪の立ち上がりに優れたかつらが提供される。そしてこの場合、短毛が長毛と異なるカール径で、且つ、長毛の間に長毛をカットして作った短毛が所定の割合、例えば２０〜５０％で配置されていると、長毛の根元部分が、その周囲に位置する短毛によって支持されるので、長毛の立上りが良好となると共に、かつらベースの露見が防止される。
【００１１】
上記構成において、好ましくは、短毛の長さは一定ではなく、短毛の各々の長さが長毛の二分の一以下で、且つ、１〜５ｃｍの範囲で不均一な毛髪長分布を有する。このように、短毛を任意の長さに異ならせて配置することができるので、所定の毛髪長分布を形成でき、植設した毛髪の自然な立上りを形成することができる。
【００１２】
上記短毛がカール毛であり、長毛が短毛のカール径より大きなカール径を有するカール毛である場合は、長毛の根元部分が短毛により支持される際に、カール径の比較的小さなカール毛から成る短毛によって、より確実に支持され、立上りがより一層良好になると共に、カール径の比較的大きなカール毛から成る長毛が、自然な状態でカールする。
【００１３】
上記短毛及び長毛が互いに異なる色であると、短毛と長毛が互いに混在してほぼ均等に配置されることにより、それぞれの色が十分に混色されて、従来の植設方法では得られない色彩感が生まれ、色彩のグラデーションを生成することが可能である。さらに、短毛の分布密度に勾配を付与したり、短毛の長さ分布分部を付与することによって、より自然に色彩のグラデーションを生成することができる。
【００１４】
また、短毛及び長毛が互いに異なる太さであり、例えば短毛としてより太い毛髪を使用すると、短毛により長毛がより確実に支持されて長毛の立上りが良好になり、低毛量でもかつら全体のボリュームを増すことができ、したがって、見栄えが向上する。
【００１５】
本発明の上記他の目的を達成するため、本発明のかつらの製造方法の第１の構成は、かつらベースに対して、毛髪を植設する第１の段階と、第１の段階で植設された各毛髪を所定長さの短毛にカットする第２の段階と、その後、かつらベースに対して、短毛の間に長毛を植設する第３の段階と、を含んでいることを特徴とする。
さらに、本発明のかつらの製造方法の第２の構成は、かつらベースに植設する短毛と長毛との混合割合を所定の割合に設定すると共に、該所定の割合に設定した短毛となるべき毛髪をかつらベースに植設する第１の段階と、第１の段階で植設された各毛髪を所定長さの短毛にカットする第２の段階と、上記所定の割合に設定した長毛となるべき毛髪を上記かつらベースの短毛の間に植設する第３の段階と、を含んでいることを特徴とする。
上記構成において、第２の段階にて、好ましくは、規定密度の所定割合に、例えばかつらベースに植設される毛髪量の２０〜５０％に制御して短毛となる毛髪を植設すると共に、各毛髪を所定長さの短毛にカットした後、さらに、毛髪長分布をつけるカットを行う。また好ましくは、第２の段階にて、短毛の各々の長さを、前記長毛の二分の一以下で、且つ、１〜５ｃｍの範囲で不均一にする。さらに、第１の構成の第３の段階にて、既に植設されている短毛と併せて規定密度の所定割合となるように制御して、長毛を植設してもよい。
【００１６】
上記第１の構成によれば、第１の工程によってかつらベースに植設された毛髪が、第２の工程で所定長さにカットされて短毛とされる。このため、植設の際には、植設作業が容易な長い毛髪を植設することができる。その後に、所定の長さに短くなるようにカットされるので、容易にしかも規定密度の所定割合に制御されて植設作業が行なわれると共に、植設工程が短時間で可能となり生産効率が向上する。
また、第２の工程によって毛髪がカットされ短毛が形成された後に、長毛がかつらベースに対して植設されることによって、長毛が適宜に、好ましくは、規定密度の所定割合に制御されて分散される。このため、従来のすき鋏によるカットの場合のように、短毛がまだらに配置されるようなことはなく、自然感が向上すると共に、短毛の分布密度に勾配を備えることも可能になる。
さらに、上記第２の構成によれば、第１の工程において、短毛となるべき毛髪を植設するに先立って、かつらベースに植設する短毛と長毛との混合割合を調整して、適宜に設定することができるので、容易にしかも所望の立ち上がり感をもって所定割合に制御して植設作業を実行することができる。
また、本発明法によれば、かつらベースに植設された毛髪が、第２の工程で所定長さにカットされて短毛とされる。このため、植設の際には、植設作業が容易な長い毛髪を植設することができる。その後に、所定の長さに短くなるようにカットされるので、容易にしかも規定密度の所定割合に制御されて植設作業が行なわれると共に、植設工程が短時間で可能となり生産効率が向上する。
しかも、本発明によれば、かつらの設計時に、脱毛，薄毛状態又は使用者との打合せによって、かつらベースへの植毛量が所望の毛量となるよう制御でき、しかも、長毛と短毛との分布や短毛の長さ分布も任意に且つ自在に設計して調整することができるので、使用者の細かなニーズに沿ったかつらを製作することができる。
【発明の効果】
【００１７】
本発明のかつらによれば、かつらベースに植設された短毛及び長毛が、予め定められた所定の混合割合に制御されて植設されることにより、毛髪の立上りが良好でボリューム感のある極めて優れたかつらを提供することができる。
【００１８】
また、本発明のかつらの製造方法によれば、容易に植設できる長い毛髪を予め設定した所定の割合に制御して植設した後で、これをカットすることにより短毛を形成するので、短毛及び長毛を有するかつらを、容易に、かつ、短時間で製造することができる。
さらに本発明によれば、かつらの設計時に、かつらベースに植設する毛髪密度（本数）をかつらベースの部位毎に、予め定めた所定の密度に決定することができると共に、短毛及び長毛の混合割合を予め設定した所定の割合で、しかも植設位置を厳密に制御して植設していくことができるので、植毛作業が効率的に実行できると共に、毛量並びに毛髪分布が同一で立ち上がりや外観も実質的に同一のかつらを提供することができる。従って、かつらの被着者は予備として同一のかつらを保持することが可能になる。
【００１９】
従って、本発明によれば、かつらの設計時に、脱毛，薄毛状態又はユーザーとの打合せによって、かつらベースへの植毛量が所望の毛量となるよう厳密に制御でき、しかも、長毛と短毛との分布や短毛の長さ分布も、予めユーザーとの打合せや所望のデザインに沿って任意に且つ自在に設計して調整することができるので、ユーザーの細かなニーズに沿ったかつらを製作することができる。
【発明を実施するための最良の形態】
【００２０】
以下、図面に示した実施の形態に基づいて、本発明を詳細に説明する。
最初に、本発明のかつらについて、図１に示す模式的斜視図により説明する。図１に示すように、かつら１は、使用者の頭部に装着されるかつらベース２と、かつらベース２に植設される人毛又は人工毛髪からなる毛髪と、を備えており、毛髪が、短毛３と長毛４とからなっている。
【００２１】
図２は、図１のかつらの構成を模式的に示す拡大図である。図示するように、短毛３及び長毛４は、例えば、ネット部材を用いたかつらベース２のフィラメント又はその交点に対して各種の植え方に従って植設される。この植設方法としては、紐などを結ぶときに用いられる公知の結び方、例えばひばり結ぶ、まき結び、左右結びなど、あるいはこれらを応用した結び方が挙げられる。図において、短毛３及び長毛４の結び目がそれぞれ３ａ，４ａである。
なお、かつらベース２に短毛３と長毛４との混毛で植設した点は公知技術と同様であるが、従来は短毛は後工程によってすき鋏で形成していたため、長毛に対してランダムに配置せざるを得なかった。これに対し、本発明のかつら１では、かつらベース２に対して、短毛３及び長毛４が予め設定した所定の毛髪量でかつらベース２に植設されると共に、さらに、これら短毛３及び長毛４が、それぞれ、予め設定した所定の割合に制御されて植設されている。
【００２２】
すなわち、本発明では、長毛と短毛との総毛髪密度（又は本数）をどのように規定するかとか、かつらベースのどの領域にどのような毛髪密度分布に植設するかなどを、かつらの設計時に、ユーザーとの打合せにより厳密に設定することができる。
さらに、上記のように規定した総毛髪量の適用において、長毛４と短毛３との混合割合をどのように配分すると毛髪のボリューム感を出せるかとか、頭部のどの部位にどれ位の割合で短毛３を混ぜるかとか、この短毛３の長さを部位によって何ｃｍの長さに設定するかなどについて、かつら１の設計時に、脱毛，薄毛状態の様子を観察しながら、さらにユーザーとの細かな打合せによって、かつらベース２への植毛量が所望の毛量となるよう厳密に制御することができ、しかも、長毛４と短毛３との分布や短毛３の長さ分布も、予め使用者との打合せや所望のデザインに沿って任意に且つ自在に設計して調整することができるものである。
【００２３】
ここで、規定密度とは、かつらベース２に植設できる全毛髪量（全毛髪本数）に対して、実際に植設する短毛３及び長毛４の合計本数の毛髪密度（毛髪量）を言い、上記したようにかつらの設計時に厳密に規定することができる。そして、所定割合とは、かつらベースの或る植毛領域において、上記規定密度で決まる植設すべき短毛３及び長毛４の合計毛髪本数に対する、短毛３と長毛４との本数割合、すなわち混合割合である。
【００２４】
本発明では、かつらベース２に対して、短毛３及び長毛４が予め設定した所定の毛髪量でかつらベース２に植設されると共に、短毛３及び長毛４が、それぞれ、予め設定した所定の割合に制御されて植設されており、全体のボリューム感を調整しながら長毛４の間に短毛３が配置されていることによって、長毛４の根元部分が、その周囲に位置する短毛３によって支持されることになるので、長毛４の立上りが良好となると共に、かつらベース２の露見が防止される。
また、長毛４が適宜に分散されることになるので、従来のすき鋏によるカットの場合のように、短毛３がまだらに配置されるようなことはなく、自然感が向上すると共に、長毛４の分布密度に勾配を備えることも可能である。
【００２５】
短毛３の長さは一定ではなく、毛髪長分布を有していてもよい。この場合には、短毛３が、それぞれ長さが異なるような毛髪長分布を形成できる。このため、植設した毛髪の自然な立上りを形成することができる。
【００２６】
短毛３として、カール毛を用いることもできる。この場合、長毛４は直毛であっても又は短毛３のカール径より大きなカール径を有するカール毛であってもよい。この場合、長毛４の根元部分が短毛３により支持される際に、カール径の比較的小さなカール毛から成る短毛３によってより確実に支持され、立上りがより一層良好になると共に、カール径の比較的大きなカール毛から成る長毛４は自然な状態でカールすることになる。
【００２７】
短毛３及び長毛４は、互いに異なる色であってもよい。この場合には、短毛３と長毛４が互いに混在してほぼ均等に配置されることにより、それぞれの色が十分に混色されて、従来の植設方法では得られない色彩感が生まれると共に、色彩のグラデーションを生成することが可能である。
さらに、短毛３の分布密度に勾配を付与したり、短毛３に長さ分布を付与した場合には、より自然に色彩のグラデーションを生成することができる。
【００２８】
短毛３及び長毛４として、互いに異なる太さのものを用いることもできる。この場合には、例えば、短毛３としてより太い毛髪を使用すると、短毛３により長毛４がより確実に支持されて長毛４の立上りが良好になり、かつらに植設される毛髪のボリュームが増す。かつらベースに植設される短毛は、上記かつらベース２に植設される毛髪量の２０〜５０％の割合に制御されて植設されていることが好ましい。この割合が２０％以下では毛髪の立ち上がりが低下するので好ましくない。一方、この割合が５０％以上では長毛が少なくなり、毛髪のボリュームが低下するので好ましくない。
【００２９】
ここで、かつらベース２は、ネット部材や人工皮膚、又は人工皮膚及びネット部材を組み合わせたもので形成することができる。
網目をもったネット部材の材料としては、ナイロンやポリエステルなどの合成樹脂からなるモノフィラメントにて織成又は編成したもの、或いは不織製のものが使用できる。また、人工皮膚の材料は例えばウレタン樹脂のような軟質合成樹脂を用いることができる。さらに、かつらベース２には、かつら１の表面での光沢をなくすための艶消し処理が施されていることが、より好ましい。
なお、長毛４及び短毛３をかつらベース２に植設する場合、上記実施形態に従ってネット部材からなるかつらベース２に対して毛髪を取り付けるには、例えば、ネット部材を構成するフィラメント又はその交点に、１本又は２，３本の毛髪を、例えば中央で二つ折りにしてループを形成し、このループ内に毛髪の一対となった自由端側を差し込んでこれを引き抜き、さらに、必要により一対の毛髪の一方を他方の毛髪に二重又は三重に結着して固定していく。また、かつらベースが人工皮膚で成る場合は、単にこの人工皮膚に毛髪を貫通させて一方を引き抜く、いわゆるＶ植えによる植設法を用いてもよく、他の公知の方法でもよい。
【００３０】
本発明のかつら１によれば、短毛３及び長毛４が予め設定した所定の毛髪量でかつらベース２に植設されると共に、短毛３及び長毛４が、それぞれ、予め設定した所定の割合に制御されて植設されていることにより、種々の髪形に対応した毛量と毛流を付与することができると共に、毛髪の立上りが良好で、ボリューム感のある極めて優れたかつらを提供することができる。
【００３１】
次に、本発明のかつらの製造方法について説明する。
図３は、本発明のかつらの製造方法の一実施形態による各工程を順次に模式的に示す断面図である。
まず図３（Ａ）に示すように、使用者の頭部形状類似のかつらベース２、又は、使用者の頭部形状に対応して形成されたかつらベース２が用意される。図示の場合は、かつらベース２を、合成樹脂からなるモノフィラメントを平織りしたネット部材で構成したネットベースとして説明する。
図３（Ｂ）に示すように、第１の工程において、ネットベース２に対して、カール径の比較的小さいカール毛が、短毛となる毛髪５として植設される。この最初に植設される毛髪５の長さは、植設作業を容易に行うために、規定した短毛３の長さよりも充分に長くしておく。この長さは、基本的には長毛４と同じ長さであるが、これより長くても短いものを用いても構わない。
毛髪５はネットベース２の縦横のフィラメント又はその交点に対して植設される。毛髪５は、例えば、１本又は２，３本の毛髪５の中央部分を二つ折りにして一対とした各毛髪の折り返し部分に、専用の鉤針を引っ掛けて、ネットベース２に結び目５ａを形成して植設される。
【００３２】
ここで、図４は、図３のかつらの製造方法の第１の工程において、短毛を予め定めた規定の密度で植設するパターンを示す概略図である。
図４において、ネットベースの他にも人工皮膚ベースにも同じように適用できるが、縦横の交点が毛髪の植設箇所を仮想的に示しているものとする。これらの交点の全てに毛髪を植設した場合に１００％の規定密度となる。図示するように、交点に短毛となる毛髪５（図の白丸（○印））が所定の密度になるように結着されている。短毛となる毛髪５は、使用者のヘアスタイルや毛流などを考慮して予め定めた規定密度の所定割合で植設していく。
【００３３】
この実施例では、予め定めた規定密度となるように、例えば７０％となるように植設するものとする。ここで、規定密度について図４を用いて説明すると、前述のようにネットベースの交点全てに毛髪を植設した場合が規定密度１００％とすると、図４ではネットベースの交点が４９箇所あり、その全てに毛髪を植設すると１００％になる。そこで、規定密度を７０％にするには、上記交点の４９％の７０％の交点、すなわち３４箇所の交点に毛髪を植設した状態とする。そして、長毛４と短毛３との所定割合を５０％に設定すしたとすると、長毛４と短毛３とのそれぞれが、規定密度７０％の毛髪本数の半分、即ち、規定密度の３５％ずつが、ネットベース２に対して結束されることにより植設される。なお、ネットベース２に植設する交点の位置は、かつら１のスタイルに応じて適宜選択することができる。
植毛量を設定すると共に、長毛４と短毛３の混合割合を設定する場合は、例えば、使用者の頭部領域の脱毛又は薄毛状態を検分し、また、使用者のヘアスタイルや毛流などを考慮して、かつら１の設計時に、所望の毛量と立ち上がり分布などを規定する。例えば、前頭から頭頂部にかけては立ち上がりを良くするために、短毛量の長毛量に対する割合を５０％とし、頭頂部から後頭部及び側頭部にかけては２０〜３５％に設定するなど、適宜に規定することができる。
【００３４】
続いて、図３（Ｃ）に示すように、第２の工程において、かつらベース２に植設された短毛となる毛髪５が、所定長さに、例えば１乃至３ｃｍ程度に鋏でカットされて短毛３とされる。
【００３５】
短毛３を形成する場合は、まず第１の工程にて短毛となるべき、カット前の比較的長い毛髪５（例えば全長２０ｃｍ程度）をかつらベース２に対して植設する。この場合、２０ｃｍ程度の長さの１本又は２，３本の毛髪を中央で二つ折りにしてループを形成し、フィラメントに巻き付けた状態でこのループ内に一対となった毛髪の自由端側を挿入して結着すると、ほぼ１０ｃｍ程度の毛髪が一対ネットベースに植設される。短毛となるべき毛髪５をこのようにして所定の密度で且つ所定の分布パターンで植毛作業を繰り返して所定の密度に植設したら、次に、これを予め設定した所定長さ、例えば１〜３ｃｍ程度にカットすることにより所定長の短毛３として形成される。
このように、短毛となるべき毛髪５を長毛の状態で植設できるため、熟練技術者でなくても取付作業が容易で、植設工程を短時間で行なうことができ、生産効率が向上する。そして、短毛３は、所定分布で植設されることから、従来のすき鋏によりカットされた短毛の場合のように、まだらに配置されるようなことはなく、当初の設計に従って配置されるので、自然感が向上することになる。
【００３６】
この場合、短毛３の長さを一定ではなく、さらに、短毛３に毛髪長分布を形成することができる。この場合、毛髪５に対して鋏を例えば斜めから入れてカットすることで、長さの異なる短毛の毛髪長分布を形成すればよい。このように適宜に短毛の長さ分布を形成すると、長毛の立ち上がりによるボリューム感が一層自然感を呈することができる。
【００３７】
次に、図３（Ｄ）に示すように、第３の工程において、かつらベース２に対して、直毛又はカール径の比較的大きなカール毛が、長毛４として、短毛と同様にネットベース２に結び目４ａを形成して植設される。長毛４は、短毛となる毛髪５と同じ色及び同じ太さであってもよく、或いは、ファッション性を豊かにするために、同系色または全く異なる色調や色彩の長毛４で植設するようにしてもよい。
【００３８】
図５は、上記第３の工程における長毛の植設パターンを示す概略図である。図５において、点線はネットベース２のフィラメントを示し、フィラメントの交点に長毛４（図の黒丸（●印））が結着されている。図示するように、長毛４は、短毛３と併せて規定密度となるように、例えば７０％となるように植設されている。
そして、長毛４と短毛３との所定割合を５０％に設定しているときには、長毛４が、規定密度７０％の毛髪量（本数）の半分、即ち規定密度の３５％で、ネットベース２に対して結束されることにより植設される。この植設も短毛３と同様の方法で、予め設定した所定の分布パターンで行われる。
【００３９】
最後に、製作したかつらを使用者の頭部に被着して、長毛を必要な長さにカットして調髪することにより、使用者の希望する毛量で、立ち上がりが良くボリューム感が豊かな所定のヘアスタイルのかつらに仕上げることができる。
【００４０】
図６は図３のかつらの製造方法における短毛及び長毛の植設状態を示す概略図である。図６に示すように、本発明に従って製造されたかつら１は、かつらベース２に対して、短毛３及び長毛４がそれぞれ規定の密度、本例では３５％ずつで植設されることによって、全体として７０％の規定密度で植設が行なわれる。そして、長毛４は、その根元部分の周囲が、その近傍に植設した短毛３によって支持されることになるので、長毛４が寝てしまうのが阻止され立上りが良好になり、ボリューム感が得られると共に、短毛３の存在によってかつらベース２の露見が防止され得ることになり、見栄えが向上する。
【００４１】
図７は、本発明の第２の実施形態によって得られたかつら１の短毛３及び長毛４の植設状態の変形例を示す概略図である。上述した第２の実施形態により製造されたかつらにおいては、図６に示すように、短毛３及び長毛４は、それぞれ、規定密度の３５％ずつの密度で植設されるようになっている。
一方、図７に示したかつらでは、短毛３及び長毛４の規定密度は、図６の場合と同様にかつらベース２が露見しにくい７０％とし、長毛４と短毛３との所定割合を、それぞれ、７０％、３０％に設定している場合を示している。したがって、長毛４及び短毛３は、それぞれ、４９％、２１％の規定密度で植設されている。
【００４２】
このように、同じ７０％の規定密度において、長毛と短毛との所定割合を調整して、長毛４の密度を高くすると、短毛３の存在により長毛４の立上りが良好で自然感が向上し、全体としてかつらベース２が一層露見しにくくなる効果が得られる。
【００４３】
上述した実施形態においては、かつらベース２は、ネットベースとして構成されているが、これに限らず、人工皮膚ベースであってもよいことは明らかである。また、上述した実施形態においては、短毛３及び長毛４は、互いに同じ色及び同じ太さであって、そのカール径が互いに異なるが、これに限らず、短毛３及び長毛４が互いに異なる色，異なる太さであってもよく、これらの差により、従来の植設方法では得られない色彩感，ボリューム感等が得られ、自然感或いはファッション性が向上する。
【実施例１】
【００４４】
実施例１として、本発明によるかつら１を製造した。
予め用意したかつら被着者の頭部形状の石膏型を利用し、ナイロンやポリエステルなどの合成樹脂からなるネットを被覆し、熱硬化性樹脂溶液を塗布した後に、約１００℃に加熱して、頭部形状に湾曲した形態に成形し、かつらベースとなるネットベース２を作製した。
第１の工程として、上記ネットベース２に対して、カール径の比較的小さい約３０ｃｍ長のカールを付けた毛髪５を、ネットベース２の縦横のフィラメント及びその交点に対して植設した。毛髪５は、１本の毛髪５の中央部分を二つ折りにして一対とした各毛髪の折り返し部分に、専用の鉤針を引っ掛けて、ネットベース２に結び目５ａを形成して植設した。
この最初に植設した毛髪５の長さは、長毛４と同じ長さの１５ｃｍであった。この際、ネットベース２の植設面積が３００ｃｍ2 、規定密度が７０％であるので、長さ１５ｃｍの毛髪を用いた場合の毛量重量は５０ｇであった。短毛３の毛髪本数の所定割合を５０％と規定したので、最初に植設した毛髪５の毛量重量は、約２５ｇであった。
【００４５】
第２の工程として、ネットベース２に植設した毛髪５を短毛３とすべく、３ｃｍとなるように鋏でカットした。さらに、この３ｃｍにカットした短毛を、所定の幅に揃えて、挟みにより斜め方向にカットすることにより、短毛３の長さを１〜３ｃｍとして、短毛３に長さ分布を付与した。
【００４６】
次に、第３工程として、ネットベース２に対して、全長が約３０ｃｍのカール径の比較的大きなカール毛を二つ折りにして、予め定めた取付位置に植設することにより、長さが１５ｃｍの長毛４を植設した。
ここで、短毛３及び長毛４は同じ黒色で、同じ太さのナイロンフィラメントからなる人工毛髪を用いた。長毛４の所定割合は、短毛と同じように所定割合を５０％とし、所定の間隔で短毛３の間に植設した。
【実施例２】
【００４７】
短毛３及び長毛４の所定割合を、それぞれ、３３％、６７％とした以外は、実施例１と同じ本発明によるかつら１を製造した。
【実施例３】
【００４８】
短毛３の色をダークブラウン、長毛４の色をライトブラウンとした以外は、実施例２と同じ本発明によるかつら１を製造した。
【００４９】
（比較例）
長さ３ｃｍの短毛とするために全長６ｃｍの毛材をネットベース２に植設する場合、二つ折りにして３ｃｍにした毛髪を植設しなければならないので、熟練した技術者であってもかなりの植設時間を要する。そこで、長さ３０ｃｍの毛髪を用いて植設した後、すき鋏で短毛を作る従来のやり方で短毛入りかつらを製作した。この場合、すき鋏によるまだらの形成を考慮して、通常、規定密度より２０〜３０％多く植設しており、本例では規定密度を実施例１と同様に７０％とするために、９０％の密度で植設し、植設後、すき鋏を用いて７０％程度になるよう目視によりカットした。
この比較例のかつらの植設時間は、実施例１のそれに対して２０％増量する分だけ多くの時間を要した。
【００５０】
次に、実施例１〜３及び比較例の外観検査を行った。
実施例１〜３の何れのかつらの場合も、比較例に比し植設された毛髪の立ち上がりが顕著であり、そして、立体感があるために見栄えに優れていることが分かった。これに対して、比較例の場合には、植設の立ち上がりが殆どなかった。また、実施例１〜３のかつら１において、短毛３をカットして、その長さ分布を形成した場合は、自然感が増すことが分かった。
【００５１】
また、実施例２及び３のかつらは、実施例１のかつらに対して、短毛３の所定割合が少ない（３３％）が、実施例１のかつらに比較すると、かつらの立ち上がり及び自然さにおいて、見栄えに優れていることが分かった。
【００５２】
さらに、実施例３の場合は、短毛３がダークブラウンで、長毛４がライトブラウンであるので、ボリューム感の向上に加えて、短毛３と長毛４が互いに混在してほぼ均等に配置されることにより、頭皮に近い根元付近は暗色でまた毛先側は明色のブラウンとなってそれぞれの色が十分に混色されて、従来の植設方法では得られない色彩感が生まれると共に、優れたグラデーションを生成することができた。
【００５３】
以上、本発明の好適な実施の形態について説明したが、本発明は図示の実施形態にのみ限定されるものでなく、本発明の範囲内で適宜変更等が可能である。さらに、上記実施形態で説明した具体的数値等は、必要に応じて適宜変更可能である。
また、かつらベース２はネット製のベースによることなく、人工皮膚のベースを用いてもよい。この場合、予め用意したかつら被着者の頭部形状の石膏型に、ウレタン樹脂を所定厚みで塗布乾燥して成形すると優れた人工皮膚製のかつらベース２が製作できる。この人工皮膚によるかつらベース２に短毛と長毛を規定の密度で、且つ、所定の割合で制御するには、人工皮膚の裏面に予め定めた密度と短毛及び長毛の分布パターンとをマーカー等で書き込むか、これらを書き込んだ用紙を頭部形状の雄型に貼着し、その上に人工皮膚ベースを重ねて、人工皮膚ベースに透けた分布パターンに沿って人工皮膚ベースに植設していけば作業効率が向上する。そして、このようなパターンにより、実質的に同一のかつらを所望の枚数製作することが可能になる。
【図面の簡単な説明】
【００５４】
【図１】本発明の第１の実施の形態によるかつらの構成を模式的に示す斜視図である。
【図２】図１のかつらの構成を模式的に示す拡大図である。
【図３】本発明のかつらの製造方法の一実施形態による各工程を順次に模式的に示す断面図である。
【図４】図３のかつらの製造方法における第１の工程にて、短毛の植設パターンを示す概略図である。
【図５】図３のかつらの製造方法における第３の工程にて、長毛の植設パターンを示す概略図である。
【図６】図３のかつらの製造方法における短毛及び長毛の植設状態を示す概略図である。
【図７】本発明により製造されたかつらの短毛及び長毛の植設状態の変形例を示す概略図である。
【図８】従来のかつらの一例の構成を示す概略模式図である。
【符号の説明】
【００５５】
１：かつら
２：かつらベース
３：短毛
３ａ：結び目
４：長毛
４ａ：結び目
５：短毛となる毛髪
５ａ：結び目
【図１】
2006183214.tif 000003
【図２】
2006183214.tif 000004
【図３】
2006183214.tif 000005
【図４】
2006183214.tif 000006
【図５】
2006183214.tif 000007
【図６】
2006183214.tif 000008
【図７】
2006183214.tif 000009
【図８】
2006183214.tif 000010